(57)【要約】  デジタルカメラ(10)用のワイヤレスアダプタ(100)は、ワイヤレスネットワーク(20,22)を介したデジタルカメラ(10)とリモートデバイス(30,32,34,36)との間の通信を可能にする。ワイヤレスアダプタ(100)は、ワイヤレスカード(150)と、このワイヤレスカード(150)を収容するためのカードスロット(104)を有するカードホルダ(102)とを備える。ワイヤレスカード(150)は、カードホルダ(102)のカードスロット(104)に挿入可能であり、リモートデバイス(30,32,34,36)と通信するためのワイヤレスインタフェース(152,156)を含む。ワイヤレスカード(150)又はカードホルダ(102)のいずれかに設けられるファイル転送エージェント(162)は、デジタルカメラ(10)から画像データを受信しその画像データをリモートデバイス(30,32,34,36)に転送する。
2010508712.tif 000002
【特許請求の範囲】
【請求項１】
デジタルカメラ(10)用のワイヤレスアダプタ(100)であって、
ワイヤレスネットワーク(20,22)を介してリモートデバイス(30,32,34,36)と通信するためのワイヤレスカード(150)を収容するスロット(104)を有するカードホルダ(102)と、
前記ワイヤレスカード(150)を前記デジタルカメラ(10)と電気的に接続するインタフェース回路(106)と、
を有することを特徴とするワイヤレスアダプタ(100)。
【請求項２】
前記カードホルダ(102)を前記デジタルカメラ(10)に対して着脱自在に接続するコネクタ(116)を更に有することを特徴とする請求項１に記載のワイヤレスアダプタ(100)。
【請求項３】
前記インタフェース回路(106)は、前記デジタルカメラ(10)と通信するための第１インタフェース(108)と、前記ワイヤレスカード(150)と通信するための第２インタフェース(112)とを含むことを特徴とする請求項１に記載のワイヤレスアダプタ(100)。
【請求項４】
前記第１インタフェース(108)はシリアルインタフェースを含むことを特徴とする請求項３に記載のワイヤレスアダプタ(100)。
【請求項５】
前記第２インタフェース(112)はシリアルインタフェースを含むことを特徴とする請求項４に記載のワイヤレスアダプタ(100)。
【請求項６】
前記第１及び第２インタフェース(108,112)はユニバーサルシリアルバス（ＵＳＢ）インタフェースを含み、前記インタフェース回路(106)はＵＳＢホストコントローラを構成することを特徴とする請求項５に記載のワイヤレスアダプタ(100)。
【請求項７】
前記カードホルダ(102)の前記スロット(104)に挿入可能なワイヤレスカード(150)を更に有し、前記ワイヤレスカード(150)は、ワイヤレスネットワーク(20,22)を介してリモートデバイス(30,32,34,36)と通信するためのワイヤレスインタフェース(152,156)を含むことを特徴とする請求項１に記載のワイヤレスアダプタ(100)。
【請求項８】
前記ワイヤレスカード(150)は、前記デジタルカメラ(10)から画像データを受信し該画像データを前記ワイヤレスインタフェース(152,156)を介して指定宛先デバイスに転送するファイル転送エージェント(162)を含むことを特徴とする請求項７に記載のワイヤレスアダプタ(100)。
【請求項９】
前記ファイル転送エージェントはプリンタをエミュレートすることを特徴とする請求項８に記載のワイヤレスアダプタ(100)。
【請求項１０】
デジタルカメラ(10)に使用されるワイヤレスカード(150)であって、
ワイヤレスネットワーク(20,22)を介してリモートデバイス(30,32,34,36)と通信するワイヤレスインタフェース(152,156)と、
前記デジタルカメラ(10)から画像データを受信し該画像データを前記ワイヤレスインタフェース(152,156)を介して指定宛先デバイス(30,32,34,36)に転送するファイル転送エージェント(162)と、
を有することを特徴とするワイヤレスカード(150)。
【請求項１１】
前記ファイル転送エージェント(162)はプリンタをエミュレートすることを特徴とする請求項１０に記載のワイヤレスカード(150)。
【請求項１２】
請求項１に記載のワイヤレスアダプタ(100)と通信する第１インタフェース(164)を更に有することを特徴とする請求項１０に記載のワイヤレスカード(150)。
【請求項１３】
前記第１インタフェース(164)はシリアルインタフェースを含むことを特徴とする請求項１２に記載のワイヤレスカード(150)。
【請求項１４】
前記第１インタフェース(164)はユニバーサルシリアルバス（ＵＳＢ）インタフェースを含むことを特徴とする請求項１３に記載のワイヤレスカード(150)。
【請求項１５】
デジタルカメラ(10)用のワイヤレスアダプタ(100)であって、
ワイヤレスインタフェース(152,156)を介してワイヤレスネットワーク(20,22)により通信するためのワイヤレスカード(150)を収容するスロット(104)を有するカードホルダ(102)と、
前記デジタルカメラ(10)から画像データを受信し該画像データを前記ワイヤレスインタフェース(152,156)を介して指定リモート宛先(30,32,34,36)に転送するファイル転送エージェント(162)と、
前記ファイル転送エージェント(162)と前記デジタルカメラ(10)及び前記ワイヤレスカード(150)とをインタフェースするインタフェース回路(106)と、
を有することを特徴とするワイヤレスアダプタ(100)。
【請求項１６】
前記ファイル転送エージェント(162)はプリンタをエミュレートすることを特徴とする請求項１５に記載のワイヤレスアダプタ(100)。
【請求項１７】
前記カードホルダ(102)を前記デジタルカメラ(10)に対して着脱自在に接続するコネクタ(116)を更に有することを特徴とする請求項１５に記載のワイヤレスアダプタ(100)。
【請求項１８】
前記インタフェース回路(106)は、前記デジタルカメラ(10)とインタフェースするためのカメラインタフェース(108)と、前記ワイヤレスカード(150)とインタフェースするためのカードインタフェース(112)とを含むことを特徴とする請求項１５に記載のワイヤレスアダプタ(100)。
【請求項１９】
前記カメラインタフェース(108)はシリアルインタフェースを含むことを特徴とする請求項１８に記載のワイヤレスアダプタ(100)。
【請求項２０】
前記カードインタフェース(112)はシリアルインタフェースを含むことを特徴とする請求項１９に記載のワイヤレスアダプタ(100)。
【請求項２１】
前記カメラインタフェース(108)及び前記カードインタフェース(112)は、ユニバーサルシリアルバス（ＵＳＢ）インタフェースを含むことを特徴とする請求項２０に記載のワイヤレスアダプタ(100)。
【請求項２２】
前記インタフェース回路(106)はＵＳＢホストコントローラを構成することを特徴とする請求項２１に記載のワイヤレスアダプタ(100)。
【発明の詳細な説明】
【技術分野】
【０００１】
本発明はデジタルカメラに関し、特に、デジタルカメラをリモートデバイスと通信できるようにするためのデジタルカメラ用のワイヤレスアダプタに関する。
【背景技術】
【０００２】
デジタルカメラは、写真フィルムの代わりに、電子的に画像を取り込み記憶する電子デバイスである。現在のデジタルカメラは従来のフィルムカメラに対し多くの利点を有しており、市場においてはフィルムカメラとの置き換えが進んでいる。デジタルカメラは、フィルムが不要なことから、小型、軽量、かつ、安価である。デジタルカメラの場合、ユーザは撮影後直ちに画像を見ることができる。撮影した画像は、ユーザのホームコンピュータ上のフォトライブラリにアップロードしたり、写真編集ソフトウェアにインポートすることが可能である。
【０００３】
デジタルカメラは一般に、デジタルカメラをユーザのホームコンピュータと接続するためのＵＳＢポート又はＦＩＲＥＷＩＲＥポートを備えている。ケーブルによって、その一端がカメラに差し込まれ、他端がコンピュータに差し込まれることになる。ユーザはワイヤレスでリモートデバイスに画像を送信することを欲することが多い。現在多くのホームコンピュータはワイヤレスインタフェースを備えているから、ユーザがワイヤレスインタフェースを利用してホームコンピュータに接続できると都合がよい。また、長距離ワイヤレスインタフェースであれば、デジタルカメラのユーザは、ユーザの現在位置にかかわらず、リモートデバイスにアクセスしサービスを受けることが可能である。
【０００４】
現在のところ、ワイヤレスインタフェースはデジタルカメラには使用されていない。ワイヤレスインタフェースによってデジタルカメラのサイズ、重量、コストが増加してしまうからである。また、デジタルカメラのその他のインタフェースでは、ワイヤレス送受信器のための十分な電力を供給することができない。現在、これらの設計上の問題が、ワイヤレスインタフェースを小型ポータブルデジタルカメラに用いることの障害になっている。
【発明の概要】
【０００５】
本発明は、ワイヤレスネットワークを介したデジタルカメラとリモートデバイスとの通信を可能にする、デジタルカメラ用のワイヤレスアダプタを提供する。ワイヤレスアダプタは、ワイヤレスネットワークを介して通信するためのワイヤレスインタフェースを含むワイヤレスカードと、ワイヤレスカードを収容するカードホルダとを有する。カードホルダは、デジタルカメラに内蔵された部分でもよいし、デジタルカメラの着脱自在なアクセサリであってもよい。ワイヤレスカード又はカードホルダのいずれかに設けられたファイル転送エージェントが、デジタルカメラから画像データを受信し、その画像データを、ワイヤレスネットワークを介してリモートデバイスに転送する。実施形態によれば、ファイル転送エージェントはプリンタをエミュレートし、デジタルカメラには通常のプリンタのように見える。
【０００６】
本発明は例えば、画像ファイルのユーザのホームコンピュータへの転送、ＷｅｂアルバムやＷｅｂブログへの画像のロード、あるいはＷｅｂプリントサービスへの画像の送信に使用することができる。
【図面の簡単な説明】
【０００７】
【図１】本発明のワイヤレスアダプタが使用されるワイヤレスネットワーク環境の一例を示す図。
【図２】実施形態におけるデジタルカメラ用のワイヤレスアダプタの一例を示す図。
【図３】第１実施形態におけるワイヤレスアダプタの構成を示す機能ブロック図。
【図４】第２実施形態におけるワイヤレスアダプタの構成を示す機能ブロック図。
【発明を実施するための形態】
【０００８】
図面を参照すると、ワイヤレスネットワークを介して、それ自体では通信能力のないデジタルカメラ１０とリモートデバイスとの間でワイヤレス通信を行えるようにする、デジタルカメラ１０のためのワイヤレスアダプタ１００が示されている。リモートデバイスには、例えば、ホームコンピュータ３０、Ｗｅｂアルバム３２、Ｗｅｂブログ３４、あるいは、Ｗｅｂプリントサービス３６が含まれる。ワイヤレスアダプタ１００はデジタルスチルカメラにもデジタルビデオカメラにも使用することができる。
【０００９】
図１は、ワイヤレスアダプタ１００が使用されるネットワーク環境の一例を示す図である。後述するように、ワイヤレスアダプタ１００は、セルラネットワーク若しくはＷｉＭＡＸネットワークなどのワイヤレスＷＡＮ（ＷＷＡＮ）２０、又は、ワイヤレスＬＡＮ（ＷＬＡＮ）２２に接続可能である。ＷＬＡＮ２２は、ワイヤレスルータを用いたホームネットワークなどの、ワイヤレスでアクセス可能なローカルエリアネットワークである。ＷＷＡＮ２０及びＷＬＡＮ２２の少なくともどちらかは、インターネット２４への接続を提供する。ホームコンピュータ３０は、ＷＬＡＮ２２に接続される。Ｗｅｂアルバム３２、Ｗｅｂブログ３４、プリントサービス３６も、インターネット２４に接続されている。
【００１０】
図２は、デジタルカメラ１０用のワイヤレスアダプタ１００の一例を示す図である。この実施形態では、デジタルカメラ１０はデジタルビデオカメラとして描かれているが、本発明はデジタルスチルカメラにも適用可能である。ワイヤレスアダプタ１００はカードホルダ１０２を有する。このカードホルダ１０２は、カードスロット１０４と、カードスロット１０４に挿入可能なワイヤレスカード１５０とを有する。ワイヤレスカード１５０は、ワイヤレスネットワーク（例えば、ＷＷＡＮ２０、ＷＬＡＮ２２）を介してリモートデバイス（例えば、ホームコンピュータ３０、Ｗｅｂアルバム３２、Ｗｅｂブログ３４、プリントサービス３６）と通信するための、少なくとも１つのワイヤレスインタフェース１５２及びアンテナ１５４を備える（図３）。カードホルダ１０２はデジタルカメラ１０の本体１２と一体化されていてもよい。あるいは、カードホルダ１０２は、図２に示すように、デジタルカメラ１０に対して着脱自在にされたアクセサリ装置であってもよい。本実施形態では、カードホルダ１０２は、デジタルカメラ１０の三脚コネクタ（図示せず）にカードホルダ１０２を取り外し可能に接続する取り付けネジ１１６を有する。
【００１１】
図３は、第１実施形態におけるワイヤレスアダプタ１００の機能ブロック図である。本実施形態のカードホルダ１０２は、ワイヤレスカード１５０とデジタルカメラ１０とをインタフェースするためのインタフェース回路１０６を含む。インタフェース回路１０６は、カメラインタフェース１０８とカードインタフェース１１２とを含む。コネクタ１１０はカメラインタフェース１０８とデジタルカメラ１０とを接続する。コネクタ１１４はカードインタフェース１１２とワイヤレスカード１５０とを接続する。インタフェース回路１０６は、ユニバーサルシリアルバス（ＵＳＢ）プロトコルなどの業界標準プロトコルに準拠し、デジタルカメラ１０とワイヤレスカード１５０との間の通信を円滑にする。この場合、インタフェース回路１０６がＵＳＢホストコントローラとして機能し、デジタルカメラ１０及びワイヤレスカード１５０がＵＳＢクライアントとして機能する。デジタルカメラ１０及びワイヤレスカード１５０のいずれもがＵＳＢ  Ｏｎ−Ｔｈｅ−Ｇｏを実現する場合には、インタフェース回路１０６はＵＳＢホストコントローラとして機能する必要はない。
【００１２】
前述したように、ワイヤレスカード１５０は、アンテナ１５４に結合された少なくとも１つのワイヤレスインタフェース１５２を備えている。ワイヤレスインタフェース１５２は例えば、セルラネットワーク（例えば、ＧＳＭ、ＣＤＭＡ）、ＷｉＭＡＸネットワーク等のＷＷＡＮ２０に対して長距離で接続するための長距離ワイヤレスインタフェースである。あるいは、ワイヤレスインタフェース１５２は、ユーザのホームネットワークのようなＷＬＡＮ２２に対して近距離で接続するための近距離ワイヤレスインタフェース（例えば、ＢＬＵＥＴＯＯＴＨ、ＷｉＦｉ、ＲＦＩＤ、ＮＦＣ）であってもよい。好適な実施形態においては、第２ワイヤレスインタフェース１５６及び第２アンテナ１５８も設けられる。この場合、第１ワイヤレスインタフェース１５２はＷＷＡＮ２０に長距離で接続するのに使用され、第２ワイヤレスインタフェース１５６はＷＬＡＮ２２に近距離で接続するのに使用することができる。
【００１３】
ワイヤレスカード１５０は更に、ワイヤレスカード１５０の動作を制御するための通信制御回路１６０を含む。通信制御回路１６０は、ワイヤレスネットワークを介した通信を可能にするための処理回路及びメモリを含む。処理回路は、１又は２以上のプロセッサ又は処理ハードウェアの少なくともいずれかを含む。コネクタ１６４は、通信制御回路１６０とカードホルダ１０２とを接続する。通信制御回路１６０は、プロセッサ上で動作するソフトウェアアプリケーションとして実現されうるファイル転送エージェント１６２を含む。ファイル転送エージェント１６２は、デジタルカメラ１０に対するリモートアクセス機能を提供する。ファイル転送エージェント１６２は、１又は２以上のリモートの宛先に関する情報を記憶している。この情報は例えば、各宛先のユーザ名、パスワードなどの各宛先の宛先アドレス及び認証情報を含む。ファイル転送エージェント１６２は、デジタルカメラ１０から画像データを受信し、ワイヤレスインタフェース１５２，１５６のいずれかを介して、その画像データをリモートの宛先に転送する。
【００１４】
一実施形態において、ファイル転送エージェント１６２はプリンタをエミュレートする。このことは、関連出願第６０／８６３，３８２号に記載されている。この引用により当該記載は本明細書の組み込まれる。本実施形態において、ファイル転送エージェント１６２は、ＰｉｃｔＢｒｉｄｇｅ又はその他のダイレクト印刷技術を実現して、デジタルカメラ１０と直接通信する。ファイル転送エージェント１６２は、デジタルカメラ１０には通常のプリンタのように見える１又は２以上のエミュレートされたプリンタを生成することができる。ユーザがエミュレートされたプリンタに「印刷」させる場合、ファイル転送エージェント１６２は、対応するリモートの宛先に画像データを転送する。プリンタをエミュレートすることで、ワイヤレスアダプタ１００は、プリンタに直接接続することができるデジタルカメラ１０にネットワーク機能を提供する。
【００１５】
図４は、ワイヤレスアダプタ１００の他の実施形態を示す図である。この実施形態は、上述した実施形態と類似しており、同じ構成要素には同じ参照番号を付してある。図４に示すように、カードホルダ１０２は、上述したような、カメラインタフェース１０８及びカードインタフェース１１２を有するインタフェース回路１０６を含む。ワイヤレスカード１５０は、それぞれ第１及び第２アンテナ１５４，１５８と結合された第１及び第２ワイヤレスインタフェース１５２，１５６を含む。この実施形態において、通信制御回路１６０及びファイル転送エージェント１６２は、ワイヤレスカード１５０ではなくてカードホルダ１０２に設けられている。ワイヤレスカード１５０はモデムとして機能する。ファイル転送エージェント１６２は、前述したとおりに機能する。この構成の利点は、業界標準のワイヤレスカード１５０とともにカードホルダ１０２を使用できる点である。
【００１６】
本発明は、発明の本質的な特徴から逸脱することなしに、本明細書に開示した具体的な実施形態とは異なる方法で実施可能であることは言うまでもない。上述の実施形態は説明にすぎず、ここに開示した内容に本発明を限定しようとしたものではない。特許請求の範囲の記載の主旨及び均等の範囲内で想到しうるあらゆる改変は本発明の範囲に包含されるものである。
【図１】
2010508712.tif 000003
【図２】
2010508712.tif 000004
【図３】
2010508712.tif 000005
【図４】
2010508712.tif 000006
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
デジタルカメラ(10)用のワイヤレスアダプタ(100)であって、
ワイヤレスネットワーク(20,22)を介してリモートデバイス(30,32,34,36)と通信するためのワイヤレスカード(150)を収容するスロット(104)を有するカードホルダ(102)と、
前記ワイヤレスカード(150)を前記デジタルカメラ(10)と電気的に接続するインタフェース回路(106)と、
を有し、
前記ワイヤレスカード(150)は、前記カードホルダ(102)の前記スロット(104)に挿入可能であり、ワイヤレスネットワーク(20,22)を介してリモートデバイス(30,32,34,36)と通信するためのワイヤレスインタフェース(152,156)を含み、
前記ワイヤレスアダプタ(100)は、前記デジタルカメラ(10)から画像データを受信し該画像データを前記ワイヤレスインタフェース(152,156)を介して指定宛先デバイスに転送するファイル転送エージェント(162)であって、プリンタをエミュレートするファイル転送エージェント(162)を更に有する
ことを特徴とするワイヤレスアダプタ(100)。
【請求項２】
前記カードホルダ(102)を前記デジタルカメラ(10)に対して着脱自在に接続するコネクタ(116)を更に有することを特徴とする請求項１に記載のワイヤレスアダプタ(100)。
【請求項３】
前記インタフェース回路(106)は、前記デジタルカメラ(10)と通信するための第１インタフェース(108)と、前記ワイヤレスカード(150)と通信するための第２インタフェース(112)とを含むことを特徴とする請求項１に記載のワイヤレスアダプタ(100)。
【請求項４】
前記第１インタフェース(108)はシリアルインタフェースを含むことを特徴とする請求項３に記載のワイヤレスアダプタ(100)。
【請求項５】
前記第２インタフェース(112)はシリアルインタフェースを含むことを特徴とする請求項４に記載のワイヤレスアダプタ(100)。
【請求項６】
前記第１及び第２インタフェース(108,112)はユニバーサルシリアルバス（ＵＳＢ）インタフェースを含み、前記インタフェース回路(106)はＵＳＢホストコントローラを構成することを特徴とする請求項５に記載のワイヤレスアダプタ(100)。
【請求項７】
デジタルカメラ(10)に使用されるワイヤレスカード(150)であって、
ワイヤレスネットワーク(20,22)を介してリモートデバイス(30,32,34,36)と通信するワイヤレスインタフェース(152,156)と、
前記デジタルカメラ(10)から画像データを受信し該画像データを前記ワイヤレスインタフェース(152,156)を介して指定宛先デバイス(30,32,34,36)に転送するファイル転送エージェント(162)であって、プリンタをエミュレートするファイル転送エージェント(162)と、
を有することを特徴とするワイヤレスカード(150)。
【請求項８】
請求項１に記載のワイヤレスアダプタ(100)と通信する第１インタフェース(164)を更に有することを特徴とする請求項７に記載のワイヤレスカード(150)。
【請求項９】
前記第１インタフェース(164)はシリアルインタフェースを含むことを特徴とする請求項８に記載のワイヤレスカード(150)。
【請求項１０】
前記第１インタフェース(164)はユニバーサルシリアルバス（ＵＳＢ）インタフェースを含むことを特徴とする請求項９に記載のワイヤレスカード(150)。
【請求項１１】
デジタルカメラ(10)用のワイヤレスアダプタ(100)であって、
前記デジタルカメラ(10)から画像データを受信し該画像データを前記ワイヤレスインタフェース(152,156)を介して指定リモート宛先(30,32,34,36)に転送するファイル転送エージェント(162)であって、プリンタをエミュレートするファイル転送エージェント(162)と、
前記ファイル転送エージェント(162)と前記デジタルカメラ(10)及び前記ワイヤレスカード(150)とをインタフェースするインタフェース回路(106)と、
を有することを特徴とするワイヤレスアダプタ(100)。
【請求項１２】
前記カードホルダ(102)を前記デジタルカメラ(10)に対して着脱自在に接続するコネクタ(116)を更に有することを特徴とする請求項１１に記載のワイヤレスアダプタ(100)。
【請求項１３】
前記インタフェース回路(106)は、前記デジタルカメラ(10)とインタフェースするためのカメラインタフェース(108)と、前記ワイヤレスカード(150)とインタフェースするためのカードインタフェース(112)とを含むことを特徴とする請求項１１に記載のワイヤレスアダプタ(100)。
【請求項１４】
前記カメラインタフェース(108)はシリアルインタフェースを含むことを特徴とする請求項１３に記載のワイヤレスアダプタ(100)。
【請求項１５】
前記カードインタフェース(112)はシリアルインタフェースを含むことを特徴とする請求項１４に記載のワイヤレスアダプタ(100)。
【請求項１６】
前記カメラインタフェース(108)及び前記カードインタフェース(112)は、ユニバーサルシリアルバス（ＵＳＢ）インタフェースを含むことを特徴とする請求項１５に記載のワイヤレスアダプタ(100)。
【請求項１７】
前記インタフェース回路(106)はＵＳＢホストコントローラを構成することを特徴とする請求項１６に記載のワイヤレスアダプタ(100)。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
デジタルカメラ(10)用のワイヤレスアダプタ(100)であって、
ワイヤレスネットワーク(20,22)を介してリモートデバイス(30,32,34,36)と通信するためのワイヤレスカード(150)を収容するスロット(104)を有するカードホルダ(102)と、
前記ワイヤレスカード(150)を前記デジタルカメラ(10)と電気的に接続するインタフェース回路(106)と、
を有し、
前記ワイヤレスカード(150)は、前記カードホルダ(102)の前記スロット(104)に挿入可能であり、ワイヤレスネットワーク(20,22)を介してリモートデバイス(30,32,34,36)と通信するためのワイヤレスインタフェース(152,156)を含み、
前記ワイヤレスアダプタ(100)は、前記デジタルカメラ(10)から画像データを受信し該画像データを前記ワイヤレスインタフェース(152,156)を介して指定宛先デバイスに転送するファイル転送エージェント(162)であって、プリンタをエミュレートするファイル転送エージェント(162)を更に有する
ことを特徴とするワイヤレスアダプタ(100)。
【請求項２】
前記カードホルダ(102)を前記デジタルカメラ(10)に対して着脱自在に接続するコネクタ(116)を更に有することを特徴とする請求項１に記載のワイヤレスアダプタ(100)。
【請求項３】
前記インタフェース回路(106)は、前記デジタルカメラ(10)と通信するための第１インタフェース(108)と、前記ワイヤレスカード(150)と通信するための第２インタフェース(112)とを含むことを特徴とする請求項１に記載のワイヤレスアダプタ(100)。
【請求項４】
前記第１インタフェース(108)はシリアルインタフェースを含み、前記第２インタフェース(112)はシリアルインタフェースを含むことを特徴とする請求項３に記載のワイヤレスアダプタ(100)。
【請求項５】
デジタルカメラ(10)に使用されるワイヤレスカード(150)であって、
ワイヤレスネットワーク(20,22)を介してリモートデバイス(30,32,34,36)と通信するワイヤレスインタフェース(152,156)と、
前記デジタルカメラ(10)から画像データを受信し該画像データを前記ワイヤレスインタフェース(152,156)を介して指定宛先デバイス(30,32,34,36) に転送するファイル転送エージェント(162)であって、プリンタをエミュレートするファイル転送エージェント(162)と、
を有することを特徴とするワイヤレスカード(150)。
【請求項６】
請求項１に記載のワイヤレスアダプタ(100)と通信する第１インタフェース(164)を更に有することを特徴とする請求項５に記載のワイヤレスカード(150)。
【請求項７】
デジタルカメラ(10)用のワイヤレスアダプタ(100)であって、
ワイヤレスインタフェース(152,156)を介してワイヤレスネットワーク(20,22)により通信するためのワイヤレスカード(150)と、
前記デジタルカメラ(10)から画像データを受信し該画像データを前記ワイヤレスインタフェース(152,156)を介して指定リモート宛先(30,32,34,36)に転送するファイル転送エージェント(162)であって、プリンタをエミュレートするファイル転送エージェント(162)と、
前記ファイル転送エージェント(162)と前記デジタルカメラ(10)及び前記ワイヤレスカード(150)とをインタフェースするインタフェース回路(106)と、
を有することを特徴とするワイヤレスアダプタ(100)。
【請求項８】
前記ワイヤレスカード(150)を収容するスロットを備えるカードホルダ(102)を更に有することを特徴とする請求項７に記載のワイヤレスアダプタ(100)。
【請求項９】
前記インタフェース回路(106)は、前記デジタルカメラ(10)とインタフェースするためのカメラインタフェース(108)と、前記ワイヤレスカード(150)とインタフェースするためのカードインタフェース(112)とを含むことを特徴とする請求項７に記載のワイヤレスアダプタ(100)。
【請求項１０】
前記カメラインタフェース(108)はシリアルインタフェースを含み、前記カードインタフェース(112)はシリアルインタフェースを含むことを特徴とする請求項９に記載のワイヤレスアダプタ(100)。
【手続補正２】
【補正対象書類名】明細書
【補正対象項目名】０００６
【補正方法】変更
【補正の内容】
【０００６】
本発明は例えば、画像ファイルのユーザのホームコンピュータへの転送、ＷｅｂアルバムやＷｅｂブログへの画像のロード、あるいはＷｅｂプリントサービスへの画像の送信に使用することができる。
本発明の一実施形態は、デジタルカメラ用のワイヤレスアダプタを含む。ワイヤレスアダプタは、カードホルダとインタフェース回路を含む。カードホルダは、ワイヤレスネットワークを介してリモートデバイスと通信するためのワイヤレスカードを収容するスロットを有する。インタフェース回路は、ワイヤレスカードをデジタルカメラと電気的に接続する。
ワイヤレスアダプタは例えば、カードホルダをデジタルカメラに対して着脱自在に接続するコネクタを更に有する。
一実施形態によれば、インタフェース回路は、デジタルカメラと通信するための第１インタフェースと、ワイヤレスカードと通信するための第２インタフェースとを含む。
一実施形態によれば、第１インタフェースはシリアルインタフェースを含む。
一実施形態によれば、第２インタフェースはシリアルインタフェースを含む。
一実施形態によれば、第１及び第２インタフェースはユニバーサルシリアルバス（ＵＳＢ）インタフェースを含み、インタフェース回路はＵＳＢホストコントローラを構成する。
一実施形態によれば、ワイヤレスアダプタは例えば、カードホルダのスロットに挿入可能なワイヤレスカードを更に有し、ワイヤレスカードは、ワイヤレスネットワークを介してリモートデバイスと通信するためのワイヤレスインタフェースを含む。
一実施形態によれば、ワイヤレスカードは、デジタルカメラから画像データを受信しこの画像データをワイヤレスインタフェースを介して指定宛先デバイスに転送するファイル転送エージェントを含む。
一実施形態によれば、ファイル転送エージェントはプリンタをエミュレートする。
本発明の一実施形態は、デジタルカメラに使用されるワイヤレスカードも含む。このワイヤレスカードは、ワイヤレスインタフェースとファイル転送エージェントとを含む。ワイヤレスインタフェースは、ワイヤレスネットワークを介してリモートデバイスと通信する。ファイル転送エージェントは、デジタルカメラから画像データを受信しこの画像データをワイヤレスインタフェースを介して指定宛先デバイスに転送する。
一実施形態によれば、ファイル転送エージェントはプリンタをエミュレートする。
一実施形態によれば、ワイヤレスアダプタと通信する第１インタフェースを更に有する。
一実施形態によれば、第１インタフェースはシリアルインタフェースを含む。
一実施形態によれば、第１インタフェースはユニバーサルシリアルバス（ＵＳＢ）インタフェースを含む。
本発明の一実施形態は、デジタルカメラ用のワイヤレスアダプタを含む。このワイヤレスアダプタは、カードホルダと、ファイル転送エージェントと、インタフェース回路とを含む。カードホルダは、ワイヤレスインタフェースを介してワイヤレスネットワークにより通信するためのワイヤレスカードを収容するスロットを有する。ファイル転送エージェントは、デジタルカメラから画像データを受信しその画像データをワイヤレスインタフェースを介して指定リモート宛先に転送する。インタフェース回路は、ファイル転送エージェントとデジタルカメラ及びワイヤレスカードとをインタフェースする。
一実施形態によれば、ファイル転送エージェントはプリンタをエミュレートする。
一実施形態によれば、カードホルダをデジタルカメラに対して着脱自在に接続するコネクタを更に有する。
一実施形態によれば、インタフェース回路は、デジタルカメラとインタフェースするためのカメラインタフェースと、ワイヤレスカードとインタフェースするためのカードインタフェースとを含む。
一実施形態によれば、カメラインタフェースはシリアルインタフェースを含む。
一実施形態によれば、カードインタフェースはシリアルインタフェースを含む。
一実施形態によれば、カメラインタフェース及びカードインタフェースは、ユニバーサルシリアルバス（ＵＳＢ）インタフェースを含む。
一実施形態によれば、インタフェース回路はＵＳＢホストコントローラを構成する。
【国際調査報告】
2010508712.tif 000007
2010508712.tif 000008
2010508712.tif 000009
2010508712.tif 000010
2010508712.tif 000011